(57)【要約】【課題】店内に設置された商品陳列台の陳列ロッドに商品包装体を吊下陳列する際、商品包装体を見栄え良く吊下可能とする吊下支援装置を提供する。【解決手段】商品包装体のヘッダー部(5)を挟持固定するケーシング(11)と背面部材(12)を備え、該ケーシング(11)と背面部材(12)を相互に固定する固定手段(22)を設けている。前記ケーシング(11)は、吊下開口部(17)を設けた吊下部(16)を前記ヘッダー部(5)の上方位置Ｐ１よりも正面側に距離Ｌだけ離間した位置Ｐ２に配置し、前記背面部材(12)は、前記ヘッダー部(5)の背面を保持する保持板部(12a)と、該保持板部(12a)から前記保形シート(2)の背面に沿って延びる延長保持部(12b)を備える。前記ケーシング(11)の吊下開口部(17)により吊下部(16)を陳列ロッド(7)に吊下したとき、商品包装体(1)の自重により、該商品包装体の下端がヘッダー部の位置Ｐ１よりも正面側に偏位した後傾姿勢を保持した状態で吊下陳列される。【選択図】図１
2011092306.tif 000002
【特許請求の範囲】
【請求項１】
保形シート(2)の正面側に商品を包装し、前記保形シートのヘッダー部(5)を陳列ロッド(7)により吊下されるように構成された商品包装体(1)の吊下陳列支援装置であり、
前記商品包装体のヘッダー部(5)を正面側と背面側から挟持し固定するケーシング(11)と背面部材(12)を備えており、
前記ケーシング(11)と背面部材(12)は、相互に離反自在に構成されると共に、前記ヘッダー部(5)を挟持した状態で相互に固定手段(22)により固定自在に構成され、
前記ケーシング(11)は、前記陳列ロッド(7)に吊下される吊下開口部(17)を備えた吊下部(16)を設けると共に、該吊下部(16)を前記ヘッダー部(5)の上方位置Ｐ１よりも正面側に距離Ｌだけ離間した位置Ｐ２に配置し、
前記背面部材(12)は、前記ヘッダー部(5)の背面を保持する保持板部(12a)を備えると共に、該保持板部(12a)から前記保形シート(2)の背面に沿って延びる延長保持部(12b)を備えており、
前記ケーシング(11)の吊下開口部(17)により吊下部(16)を陳列ロッド(7)に吊下したとき、商品包装体(1)の自重を介して該商品包装体の下端が前記位置Ｐ１よりも正面側に偏位した後傾姿勢を保持されるように構成して成ることを特徴とする商品包装体の吊下支援装置。
【請求項２】
前記背面部材(12)の延長保持部(12b)は、保持板部(12a)から下端に向けて正面方向に傾斜するように形成されて成ることを特徴とする請求項１に記載の商品包装体の吊下支援装置。
【請求項３】
前記ケーシング(11)の吊下部(16)は、陳列ロッド(7)の上面に当接する庇部(18)を前記吊下開口部(17)の上縁に沿って設け、該庇部(18)を吊下部(16)から背面方向に突出形成して成ることを特徴とする請求項１又は２に記載の商品包装体の吊下支援装置。
【請求項４】
前記固定手段(22)は、ケーシング(11)と背面部材(12)の一方に設けられた雄部材(23)と、他方に設けられた雌部材(24)とから成り、
前記雄部材(23)と雌部材(24)の少なくとも一方は、前記商品包装体のヘッダー部(5)に形成された吊下孔(6)に挿通される挿通手段(25)を構成し、前記雄部材(23)と雌部材(24)をケーシング(11)の内部で係脱自在に係止するように構成されて成ることを特徴とする請求項１、２又は３に記載の商品包装体の吊下支援装置。
【請求項５】
前記固定手段(22)は、雌部材(24)に形成した割溝(26)に雄部材(23)を挿入係止する構成とされており、該雄部材(23)と雌部材(24)の相互に、割溝(26)に対する雄部材(23)の挿入深さに応じて係止する複数の係止手段(23a)(24a)を列設して成ることを特徴とする請求項４に記載の商品包装体の吊下支援装置。
【請求項６】
前記雄部材(23)を前記雌部材(24)の割溝(26)に挿入したとき、前記割溝(26)が拡開しないように前記雌部材(24)を外側から抱持する拘束片(27)を前記雄部材(23)の周囲に設けて成ることを特徴とする請求項５に記載の商品包装体の吊下支援装置。
【発明の詳細な説明】
【技術分野】
【０００１】
本発明は、商品包装体の吊下支援装置に係り、店内に設置された商品陳列台の陳列ロッドに商品包装体を吊下陳列するに際して、商品包装体の見栄えの良い吊下を可能にすることにより販売促進に資することができる装置に関する。
【背景技術】
【０００２】
図８に示すように、例えば、商品包装体１として多用されているブリスターパックは、台紙等の保形シート２の正面側にプラスチック成形されたシート材３により商品収納室４を形成しており、該商品収納室に商品を収納した状態で、前記保形シート２のヘッダー部５に設けた吊下孔６に陳列ロッド７を挿通することにより吊下陳列される。通常、シート材３は、透明又は半透明とされ、外部から商品を視認し、保形シート２の正面に印刷された商品情報を透視できるように構成されている。
【先行技術文献】
【特許文献】
【０００３】
【特許文献１】特許開２００９−１１３８２９号公報
【特許文献２】特許開２００２−５１８８２号公報
【発明の概要】
【発明が解決しようとする課題】
【０００４】
従来の商品包装体は、図８（Ｂ）に示すように、陳列ロッド７に吊下した状態で、ヘッダー部５の陳列ロッド７に接する吊下孔６の位置Ｐに対して、商品収納室４が正面側に偏位しているので、商品包装体１は、商品の自重Ｇにより、図示矢印Ｍ１で示すように背面方向に回動し、いわゆる前傾姿勢となる。このため、顧客が吊下陳列された商品包装体１の商品及び商品情報を正面側から視認し難くなり、販売促進効果を減じる。
【０００５】
また、吊下孔６は、薄い保形シート２のヘッダー部５に開設されているので、顧客が商品包装体１に触れると簡単に前後方向に揺動してしまう。そして、商品包装体１が揺動すると、ヘッダー部５が陳列ロッド７の軸方向に沿って、正面方向Ｆ又は背面方向Ｒに摺動して位置ずれを招来し、整頓された陳列状態を乱すおそれがある。
【課題を解決するための手段】
【０００６】
本発明は、上記課題を解決するため、商品包装体のヘッダー部に取付けられる吊下支援装置を提供するものであり、該吊下支援装置を陳列ロッドに吊下陳列したとき、該吊下支援装置に取付けられた商品包装体が前述のような前傾姿勢とされることなく、正面側から商品及び商品情報を好適に視認し得る姿勢で吊下され、これにより商品包装体の見栄えの良い吊下が可能とされ、商品の販売促進に貢献することを目的とする。
【０００７】
そこで、本発明が手段として構成したところは、保形シートの正面側に商品を包装し、前記保形シートのヘッダー部を陳列ロッドにより吊下されるように構成された商品包装体の吊下陳列支援装置であり、前記商品包装体のヘッダー部を正面側と背面側から挟持し固定するケーシングと背面部材を備えており、前記ケーシングと背面部材は、相互に離反自在に構成されると共に、前記ヘッダー部を挟持した状態で相互に固定手段により固定自在に構成され、前記ケーシングは、前記陳列ロッドに吊下される吊下開口部を備えた吊下部を設けると共に、該吊下部を前記ヘッダー部の上方位置Ｐ１よりも正面側に距離Ｌだけ離間した位置Ｐ２に配置し、前記背面部材は、前記ヘッダー部の背面を保持する保持板部を備えると共に、該保持板部から前記保形シートの背面に沿って延びる延長保持部を備えており、前記ケーシングの吊下開口部により吊下部を陳列ロッドに吊下したとき、商品包装体の自重を介して該商品包装体の下端が前記位置Ｐ１よりも正面側に偏位した後傾姿勢を保持されるように構成して成る点にある。
【０００８】
本発明の吊下支援装置は、商品包装体が後傾姿勢を保持した状態で吊下陳列されることを可能とし、これにより、正面側から商品包装体を視認する顧客の肉眼に対して、商品及び商品情報を見やすいようにアピールする。
【０００９】
このため、本発明において、前記背面部材の延長保持部は、保持板部から下端に向けて正面方向に傾斜するように形成されている。
【００１０】
また、本発明は、陳列ロッドに吊下された状態で、従来のように商品包装体が簡単に前後方向に揺動することなく、従って、陳列ロッドの軸方向に摺動して位置ずれを生じることのない吊下支援装置を提供する。
【００１１】
そこで、本発明において、前記ケーシングの吊下部は、陳列ロッドの上面に当接する庇部を前記吊下開口部の上縁に沿って設けており、該庇部を吊下部から背面方向に突出形成している。
【００１２】
更に、本発明の吊下支援装置は、商品包装体のヘッダー部を挟持する前記ケーシングと背面部材の固定手段に関して、該固定手段が簡単に離脱することはなく、また、商品包装体が吊下支援装置から脱落するおそれのない構造を提供する。
【００１３】
このため、前記固定手段は、ケーシングと背面部材の一方に設けられた雄部材と、他方に設けられた雌部材とから成り、前記雄部材と雌部材の少なくとも一方は、前記商品包装体のヘッダー部に形成された吊下孔に挿通される挿通手段を構成し、前記雄部材と雌部材をケーシングの内部で係脱自在に係止するように構成されている。
【００１４】
この際、前記固定手段は、雌部材に形成した割溝に雄部材を挿入係止する構成とされており、該雄部材と雌部材の相互に、割溝に対する雄部材の挿入深さに応じて係止する複数の係止手段を列設している。
【００１５】
そして、前記雄部材を前記雌部材の割溝に挿入したとき、前記割溝が拡開しないように前記雌部材を外側から抱持する拘束片を前記雄部材の周囲に設けている。
【発明の効果】
【００１６】
請求項１に記載の本発明によれば、商品包装体は、ヘッダー部を挟持した状態で相互に固定されるケーシングと背面部材により構成される吊下支援装置により陳列ロッドに吊下される。この際、商品包装体のヘッダー部の上方位置Ｐ１に対して、陳列ロッドに吊下されるケーシングの吊下部の位置Ｐ２は、正面側に距離Ｌだけ離間して配置されているので、商品の自重Ｇにより発生するモーメントにより、商品包装体の下端が前記ヘッダー部の位置Ｐ１よりも正面側に偏位させられ、ほぼ鉛直姿勢又は後傾姿勢を保持することができる。従って、図８に基づいて説明した商品包装体のように陳列ロッドから前傾姿勢とされた状態で吊下されることはなく、正面側をアピールした見栄えの良い吊下陳列を可能とする。
【００１７】
そして、背面部材は、商品包装体のヘッダー部の背面を保持する保持板部から、前記ヘッダー部の下方に位置して保形シートの背面に沿って延びる延長保持部を延設しているので、前述した商品の自重Ｇから発生するモーメントを該延長保持部により保形シートの背面全体に作用させ、これにより該保形シートをほぼ鉛直姿勢又は後傾姿勢となるように保持できる。
【００１８】
この際、請求項２に記載の本発明によれば、前記保持板部から延設された延長保持部を下端に向けて正面方向に傾斜するように形成しているので、後傾姿勢となるように形成された該延長保持部により、商品包装体の保形シートを確実に後傾姿勢となるように保持することが可能となる。
【００１９】
請求項３に記載の本発明によれば、ケーシングの吊下部から背面方向に突出形成した庇部を陳列ロッドの上面に当接させ、該庇部により前述した商品の自重Ｇから発生するモーメントを受け止めるので、商品包装体の商品の重量が大きいことにより過大のモーメントが作用する場合でも、商品包装体の吊下姿勢を過度の後傾姿勢とすることなく、適度の所定の後傾姿勢となるように保持する。
【００２０】
しかも、庇部は、前記自重Ｇに相当する荷重を受けることにより、陳列ロッドの上面に当接するので、図８に基づいて説明した商品包装体のように前後方向に揺動することはなく、しかも、陳列ロッドに沿って簡単に摺動することはない。
【００２１】
請求項４に記載の本発明によれば、商品包装体のヘッダー部を挟持するケーシングと背面部材の固定手段に関して、商品包装体が吊下支援装置から脱落しないようにした構造が提供される。即ち、固定手段は、ケーシングと背面部材の一方に設けられた雄部材と、他方に設けられた雌部材により構成され、前記雄部材と雌部材の少なくとも一方により、商品包装体のヘッダー部の吊下孔に挿通される挿通手段を構成している。従って、陳列ロッドに吊下された状態で、万一、固定手段の固定が解除され、ケーシングと背面部材によるヘッダー部の挟持がゆるんだとしても、吊下孔に挿通された挿通手段がヘッダー部を脱落しないように吊持する。
【００２２】
この際、前記雄部材と雌部材は、ケーシングの内部で係脱自在に係止する構成とされており、外部からは視認させないので、吊下支援装置の外観をシンプルに形成することができる。
【００２３】
請求項５に記載の本発明によれば、雌部材の割溝に雄部材を挿入係止する際、挿入深さに応じて係止する複数の係止手段が列設されているので、ケーシングと背面部材の間に挟持した商品包装体の保形シートの肉厚の大小に自在に対応することができ、常に、ヘッダー部を好適に挟持できるものとなる。
【００２４】
この際、請求項６に記載の本発明によれば、雄部材を雌部材の割溝に挿入したとき、雄部材の周囲に設けた拘束片が雌部材を外側から抱持し、これにより割溝が拡開しないように拘束するので、固定手段の係止固定状態が強固となる。
【図面の簡単な説明】
【００２５】
【図１】本発明に係る吊下支援装置の１実施形態を示しており、（Ａ）は正面側を示す斜視図、（Ｂ）は背面側を示す斜視図である。
【図２】本発明に係る吊下支援装置の１実施形態の要部を分解して示す斜視図である。
【図３】ケーシングと背面部材を離反させた状態を示しており、（Ａ）は縦断側面図、（Ｂ）は横断面図である。
【図４】ケーシングと背面部材により商品包装体のヘッダー部を挟持し、固定手段により固定した状態を示しており、（Ａ）は縦断側面図、（Ｂ）は横断面図である。
【図５】本発明に係る吊下支援装置の１実施形態の作用を示す側面図である。
【図６】本発明に係る吊下支援装置に関して、ケーシングと背面部材の固定手段に施錠ロック手段を設けた実施形態を示しており、（Ａ）施錠ロック状態を示す横断面図、（Ｂ）は施錠ロックを解除した状態を示す横断面図である。
【図７】本発明に係る吊下支援装置に関して、背面部材を構成する保持板部と延長保持部を着脱自在に構成した実施形態を示しており、（Ａ）は延長保持部を保持板部の背面に固着した状態を示す斜視図、（Ｂ）は延長保持部を保持板部の背面から取外した状態を示す斜視図である。
【図８】従来のブリスターパックに係る商品包装体を示しており、（Ａ）は商品包装体の正面側を示す斜視図、（Ｂ）は商品包装体を陳列ロッドに吊下した状態の作用を示す側面図である。
【発明を実施するための形態】
【００２６】
以下図面に基づいて本発明の好ましい実施形態を詳述する。
【００２７】
本発明の吊下支援装置１０は、図８に示した従来の商品包装体１に取付けることにより使用され、該吊下支援装置１０を店舗における陳列ロッド７に吊下することにより、商品包装体１を陳列する。
【００２８】
図１に示すように、吊下支援装置１０は、上述した商品包装体１における保形シート２のヘッダー部５を正面側と背面側から挟持するケーシング１１と背面部材１２を備えており、プラスチックにより成形されている。
【００２９】
前記ケーシング１１と背面部材１２は、相互に離反自在に構成されており、図示実施形態の場合、上部に一体成形された薄肉状のヒンジ１３によりケーシング１１と背面部材１２を連結しており、該ヒンジ１３を支点として回動方向に離反自在とされている。しかしながら、このような構成に限られるものではなく、ケーシング１１と背面部材１２を分離独立に形成し、相互に対面方向に離反自在となるように構成しても良い。
【００３０】
図２に示すように、ケーシング１１は、枠体１１ａと正面板１１ｂとから構成されており、枠体１１ａに形成したリブ１４に正面板１１ｂの係止爪１５を嵌着係止することにより、正面板１１ｂが枠体１１ａの正面に一体結合され、これにより、正面が閉鎖され背面が開口されたケーシング１１を構成する。しかしながら、枠体１１ａと正面板１１ｂは、プラスチックで両者を一体に成形しても良い。
【００３１】
前記正面板１１ｂは、枠体１１ａの上方に延びる吊下部１６を備え、該吊下部１６に吊下開口部１７を設けている。吊下開口部１７は、図例では円形孔を示しているが、その形状は問わない。また、必ずしも孔とする必要はなく、吊下部１６をフック状に形成することにより吊下開口部１７を形成しても良く、要するに、陳列ロッド７を挿通することにより、吊下支援装置１０を吊持できるものであれば良い。
【００３２】
前記吊下部１６は、吊下開口部１７の上縁に沿って庇部１８を形成しており、該庇部１８を吊下部１６から背面方向に突出させている。
【００３３】
図１（Ａ）に示すように、正面板１１ｂの正面には情報表示部１９が形成されており、吊下陳列する商品に関する情報を印刷したカード又はプレート等の情報シート８（図３及び図４参照）を挿脱自在に挿着できるように構成されている。図例の場合、開放端から挿入された情報シート８の周縁を受入保持する枠状のレール１９ａにより情報表示部１９を構成している。
【００３４】
図１（Ｂ）に示すように、背面部材１２は、前記ヒンジ１３に連設された保持板部１２ａと、該保持板部１２ａから下向きに延設された延長保持部１２ｂを備えており、図例では、保持板部１２ａと延長保持部１２ｂをプラスチックで一体成形することにより背面部材１２を構成しているが、後述する別の実施形態のように別個独立に形成したものを連結しても良い。
【００３５】
前記延長保持部１２ｂは、保持板部１２ａの両側から下方に延びる一対の縦枠部２０、２０と、該縦枠部２０、２０の下端を水平方向に連結する横枠部２１を備えており、ほぼ鉛直方向に配置した保持板部１２ａに対して、角度θで示すように、前記縦枠部２０、２０を下端に向けて正面方向に傾斜するように形成している。尚、図示のように、横枠部２１並びに縦枠部２０、２０の下端近傍部の肉厚が下方に向けて次第に分厚くなるように形成することが好ましい。
【００３６】
ケーシング１１と背面部材１２は、相互に衝合した状態で、着脱自在な固定手段２２により固定される。図２に示すように、固定手段２２は、ケーシング１１と背面部材１２の両者のうち、一方に設けられた雄部材２３と、他方に設けられた雌部材２４とから構成され、雄部材２３と雌部材２４の少なくとも一方により、商品包装体１のヘッダー部５に形成された吊下孔６に挿通される挿通手段２５を構成し、前記雄部材２３と雌部材２４をケーシング１１の内部で係脱自在に係止するように構成している。
【００３７】
図例の場合、ケーシング１１の枠体１１ａに雄部材２３を設け、背面部材１２に雌部材２４を設けており、雌部材２４により挿通手段２５を構成しているが、雄部材２３と雌部材２４の配置を反対にしても良く、雄部材２３により挿通手段２５を形成するように構成しても良い。
【００３８】
図示実施形態において、雄部材２３は、円柱状のロッドにより形成され、これにより吊下孔６に挿通される挿通手段２３を構成すると共に、軸方向に割溝２６を形成し、該割溝２６に雄部材２３を挿入させ係止するように構成されている。これに対して、雄部材２３は、ケーシング１１の枠体１１ａの内部に設けられた所定厚さの板部により構成されている。
【００３９】
図３（Ｂ）及び図４（Ｂ）に示すように、前記雄部材２３と雌部材２４の相互には、割溝２６に対する雄部材２３の挿入深度に応じて係止する複数の係止手段２３ａ、２４ａが列設されている。図例の場合、枠体１１ａの内部に設けられた板状の雄部材２３の両側面を断面波形状に形成することにより複数の係止手段２３ａを列設する一方、雌部材２４には雄部材２３の両側面に係止する１つの係止手段２４ａを設けている。しかしながら、これとは反対となるように構成し、雌部材２４に複数の係止手段２４ａを列設し、雄部材２３に１つの係止手段２３ａを設けても良い。
【００４０】
更に、前記雄部材２３を雌部材２４の割溝２６に挿入したとき、該割溝２６が拡開しないように前記雌部材２４を外側から抱持する拘束片２７を前記雄部材２３の周囲に設けている。図示実施形態の場合、正面板１１ｂに左右一対の拘束片２７、２７が設けられており、該正面板１１ｂを前記係止爪１５により枠体１１ａに固着したとき、拘束片２７、２７が雄部材２３の両側に臨むように構成されている。
【００４１】
（作用）
上記実施形態に基づく吊下支援装置１０を使用する場合、図３に示すように、ヒンジ１３を介してケーシング１１と背面部材１２を離反させ、その間に商品包装体１のヘッダー部５を介装した状態で、ヘッダー部５の吊下孔６に背面部材１２の挿通手段２５を挿通させる。尚、当該商品包装体１に包装された商品の情報を表示した情報シート８がケーシング１１の情報表示部１９に挿着されている。
【００４２】
図４に示すように、ヒンジ１３を支点としてケーシング１１と背面部材１２を衝合させると、雄部材２３が雌部材２４の割溝２６に進入し、ケーシング１１と背面部材１２の間にヘッダー部５を挟持する。この際、雌部材２４は、プラスチックによる可撓性を有するので、雄部材２３の進入に伴って割溝２６が押し広げられ、これにより雄部材２３の挿入を可能にする。ヘッダー部５が確実に挟持されるまで雄部材２３を割溝２６に進入させると、その位置で、雄部材２３に列設された複数の係止手段のうちの対応する係止手段２３ａが雌部材２４の係止手段２４ａに係止し、これにより固定手段２２が係止固定される。従って、固定手段２２は、肉厚が相違するヘッダー部５が適用される場合でも、該ヘッダー部５をケーシング１１と背面部材１２により挟持する位置で、相互に係止手段２３ａ、２４ａを係止し、ヘッダー部５を遊動しないように挟持状態で保持する。
【００４３】
雄部材２３が雌部材２４の割溝２６に進入すると、拘束片２７、２７が雌部材２４を外側から抱持し、割溝２６が拡開しないように拘束する。従って、ケーシング１１と背面部材１２を離反させる方向に外力が作用したとき、雄部材２３が割溝２６から簡単に抜き出され、固定手段２２の係止状態を解除することはない。
【００４４】
意図的に固定手段２２の係止状態を解除するときは、ケーシング１１と背面部材１２を強く離反させることにより、雄部材２３を割溝２６から抜き出せば良い。拘束片２７、２７は、プラスチックによる可撓性を有するので、雄部材２３を強く抜き出すと、割溝２６の拡開を許し、これにより雄部材２３の抜き取りを可能にする。
【００４５】
ヘッダー部５をケーシング１１と背面部材１２の間に挟持した状態で、図５に示すように、商品包装体１の保形シート２の背面が吊下支援装置１０の延長保持部１２ｂにより保持される。
【００４６】
図５に示すように、吊下部１６の吊下開口部１７に陳列ロッド７を挿通することにより、商品包装体１と共に吊下支援装置１０を吊持陳列した状態において、商品包装体１のヘッダー部５の上方位置Ｐ１に対して、吊下部１６の位置Ｐ２は、正面方向Ｆに距離Ｌだけ離間して配置される。従って、商品包装体１の商品の自重Ｇが前記位置Ｐ１に作用するので、吊下支援装置１０は、吊下開口部１７を支点として下端を正面側に回動させる方向のモーメントＭ２を受ける。その結果、商品包装体１の下端が前記ヘッダー部５の位置Ｐ１よりも正面側に偏位させられ、該ヘッダー部５をほぼ鉛直姿勢又は後傾姿勢となるように保持し、商品包装体１の正面側をアピールした見栄えの良い吊下陳列を可能とする。
【００４７】
この際、商品包装体１のヘッダー部５から保形シート２の下端に至る背面の全体は、背面部材１２を構成する保持板部１２ａと下方に延長された延長保持部１２ｂにより保持されており、前述した商品の自重Ｇから発生するモーメントＭ２を該延長保持部１２ｂにより保形シート２の背面全体に作用させるので、これにより該保形シート２を後傾姿勢に保持する。
【００４８】
そして、延長保持部１２ｂは、保持板部１２ａから下端に向けて正面方向に傾斜する後傾姿勢となるように形成されているので、商品包装体１の保形シート２を確実に後傾姿勢となるように保持し、これにより、商品及び商品情報を顧客が見やすいようにアピールする。
【００４９】
ところで、吊下支援装置１０は、ケーシング１１の吊下部１６から背面方向に突出形成した庇部１８を陳列ロッド７の上面に当接させ、該庇部１８により前述した商品の自重Ｇから発生するモーメントを受け止めるので、商品包装体１の商品の重量が大きいことにより過大のモーメントが作用する場合でも、商品包装体１の吊下姿勢を過度の後傾姿勢とすることなく、適度の所定の後傾姿勢となるように保持する。
【００５０】
しかも、庇部１８は、前記自重Ｇに相当する荷重を受けることにより、陳列ロッド７の上面に当接するので、顧客が商品包装体１に手を触れる度に、吊下支援装置１０が簡単に前後方向に揺動するようなことはなく、従って、陳列ロッド７に沿って摺動することにより、整頓された陳列状態を乱すようなこともない。
【００５１】
図６は、吊下支援装置１０に盗難防止機能を加えた実施形態を示している。このため、ケーシング１１は、進退移動自在な施錠装置３０を内装しており、該施錠装置３０のロック部３１により前記固定手段２２をロックするように構成されている。
【００５２】
固定手段２２は、挿入係止された雄部材２３と雌部材２４を横断するロック孔３２を設けており、図６（Ａ）に示すように、施錠装置３０を前進方向Ｘ１に移動すると、ロック部３１がロック孔３２に挿通されることによりロックし、反対に、図６（Ｂ）に示すように、施錠装置３０を後退方向Ｘ２に移動すると、ロック部３１がロック孔３２から抜き出されることによりロックを解除するように構成されている。
【００５３】
ケーシング１１と施錠装置３０の間には、磁着片を備えた弾発係止片３３ａと固定係止片３３ｂから成る施錠手段が構成されており、図６（Ａ）に示すように、施錠装置３０を前進方向Ｘ１に移動したロック位置で、弾発係止片３３ａが自動的に固定係止片３３ｂに係止し、施錠装置３０を後退方向Ｘ２に移動不能となるように施錠する。
【００５４】
施錠を解錠するためには、永久磁石を備えた専用の解錠キー３４が用いられる。図６（Ｂ）に示すように、施錠装置３０に設けた鍵穴通路に解錠キー３４を挿入すると、磁着片を介して弾発係止片３３ａが解錠キー３４の永久磁石に引き寄せられることにより固定係止片３３ｂから離反し、これより施錠状態を解錠する。
【００５５】
そこで、解錠キー３４を前記後退方向Ｘ２に移動すると、磁着片の磁着を介して施錠装置３０が同行移動され、ロック部３１をロック孔３２から脱することにより、固定手段２２のロックを解除する。
【００５６】
尚、図示省略しているが、ケーシング１１の内部や、ケーシング１１に取付けられた専用の偏平ケースの内部には、防犯タグが設けられ、不正者が店外に持ち出そうとしたとき、警報装置を駆動するように構成されている。
【００５７】
従って、図６に示す実施形態によれば、吊下支援装置１０が商品包装体１に取外し不能に取付けられる防犯装置を兼用することが可能となる。
【００５８】
図７は、上記吊下支援装置１０における背面部材１２に関して、保持板部１２ａに対し延長保持部１２ｂを着脱自在に構成した実施形態を示している。
【００５９】
商品包装体１のヘッダー部５を含む保形シート２の寸法サイズは、種々のものが提供されている。その一方において、店舗に設けられる陳列ロッド７は、ほぼ規格通りに形成されている。このため、吊下支援装置１０を提供するに際し、前記吊下部１６を含むケーシング１１並びに背面部材１２の保持板部１２ａを共通の構成として製造し提供する反面、延長保持部１２ｂを各種サイズの取替部品として製造し提供するのが良い。
【００６０】
図７に示す実施形態の場合、保持板部１２ａの背面の両側に上下方向に筒孔を形成する被着部３５、３５を形成している。これに対して、延長保持部１２ｂは、縦枠部２０、２０の上端を連結する連結部３６を設けており、該連結部３６の両側から上向きに取着部３７を形成している。図示鎖線で示すように、縦枠部２０、２０の幅寸法Ｗを含んで寸法サイズの異なる複数種類の延長保持部１２ｂが準備されるが、取着部３７は共通の構成とされている。
【００６１】
従って、取着部３７を被着部３５に挿入固定することにより、幅寸法Ｗその他の寸法サイズを異にした延長保持部１２ｂを組み合わせることが可能であり、これにより、大小異なる大きさの商品包装体１に適合した吊下支援装置１０を提供することができる。
【符号の説明】
【００６２】
１  商品包装体
２  保形シート
５  ヘッダー部
６  吊下孔
７  陳列ロッド
１０  吊下支援装置
１１  ケーシング
１２  背面部材
１２ａ  保持板部
１２ｂ  延長保持部
１３  ヒンジ
１６  吊下部
１７  吊下開口部
１８  庇部
１９  情報表示部
２２  固定手段
２３  雄部材
２３ａ  係止手段
２４  雌部材
２４ａ  係止手段
２５  挿通手段
【図１】
2011092306.tif 000003
【図２】
2011092306.tif 000004
【図３】
2011092306.tif 000005
【図４】
2011092306.tif 000006
【図５】
2011092306.tif 000007
【図６】
2011092306.tif 000008
【図７】
2011092306.tif 000009
【図８】
2011092306.tif 000010